(57)【特許請求の範囲】
【請求項１】
粗面化され陽極酸化されたアルミニウム支持体上に物理現像核を担持し、更にその上にハロゲン化銀乳剤層を設けた平版印刷材料に、露光後少なくとも現像処理及びハロゲン化銀乳剤層を除去するための水洗処理を施す平版印刷版の製版方法において、前記水洗処理に用いられる新鮮な水洗液が１リットル当たり１〜１００ｇの金属イオンキレート剤を含有することを特徴とする平版印刷版の製版方法。
【発明の詳細な説明】
【０００１】
【発明の属する技術分野】
本発明は、アルミニウム板を支持体とする銀錯塩拡散転写法を利用した平版印刷版の製版方法に関するものである。
【０００２】
【従来の技術】
銀錯塩拡散転写法（ＤＴＲ法）を用いた平版印刷版については、フォーカル・プレス、ロンドン  ニューヨーク（１９７２年）発行、アンドレ  ロット及びエディス  ワイデ著、「フォトグラフィック・シルバー・ハライド・ディヒュージョン・プロセシズ」、第１０１頁〜第１３０頁に幾つかの例が記載されている。
【０００３】
その中で述べられているように、ＤＴＲ法を用いた平版印刷版には、転写材料と受像材料を別々にしたツーシートタイプ、あるいはそれらを一枚の支持体上に設けたモノシートタイプの二方式が知られている。ツーシートタイプの平版印刷版については、特開昭５７−１５８８４４号公報に詳しく記載されている。又、モノシートタイプについては、特公昭４８−３０５６２号、同５１−１５７６５号、特開昭５１−１１１１０３号、同５２−１５０１０５号などの各公報に詳しく記載されている。
【０００４】
本発明が対象とする、アルミニウム板を支持体とした銀錯塩拡散転写法を利用したモノシートタイプの平版印刷版（以降、アルミニウム平版印刷版と称す）は、特開昭５７−１１８２４４号、同５７−１５８８４４号、同６３−２６０４９１号、特開平３−１１６１５１号、同４−２８２２９５号、米国特許第４，５６７，１３１号、同第５，４２７，８８９号等の公報に詳しく記載されている。
【０００５】
前記アルミニウム平版印刷版は、粗面化され陽極酸化されたアルミニウム支持体上に物理現像核を担持し、更にその上にハロゲン化銀乳剤層を設けた構成に成っている。この平版印刷版の一般的な製版方法は、露光後、現像処理、水洗処理（ハロゲン化銀乳剤層の除去）、仕上げ処理の工程から成っている。
【０００６】
詳細には、現像処理によって物理現像核上に金属銀画像部が形成され、次の水洗処理によってハロゲン化銀乳剤層が除去されてアルミニウム支持体上に金属銀画像部（以降、銀画像部と称す）が露出する。同時に陽極酸化されたアルミニウム表面自身が非画像部として露出する。
【０００７】
露出した銀画像部及び非画像部には、その保護のためにアラビアゴム、デキストリン、カルボキシメチルセルロース、ポリスチレンスルホン酸等の保護コロイドを含有する仕上げ液が塗布される。所謂、ガム引きと云われる処理が施される。この仕上げ液は、定着液やフィニッシング液とも称され、銀画像部を親油性にする化合物（以降、親油化剤と称す）を含有することも一般的である。
【０００８】
前記アルミニウム平版印刷版の製版方法における重大な課題の１つとして、水洗処理時のハロゲン化銀乳剤層のゼラチンの除去の問題がある。アルミニウム平版印刷版において、ハロゲン化銀乳剤層の水洗除去は、銀画像部及びアルミニウム表面自身で構成する非画像部を完全に露出させるために極めて重要な工程である。とりわけ、インキを受容する銀画像部は強い親油性が必要であり、ゼラチン等の親油性を阻害する物質は完全に排除する必要がある。
【０００９】
上記水洗処理は、２５〜３５℃の水洗液をジェット方式で吹き付けて乳剤層を剥離除去する方法、または水洗液を吹き付けながらスクラブローラで乳剤層を剥離する方法が一般的に採用されている。しかしながら、このような物理的な剥離除去方法では、完全に乳剤層を除去することは難しく、保水性やインキ受理性が低下するという問題があった。
【００１０】
一方、水洗液は濾過フィルターを介して循環し、水洗液中に溶出または分散した乳剤層構成成分（ゼラチンや各種添加剤）を回収して、水洗液を再利用することが行われている。しかしながら、水洗液中に溶出または分散した乳剤層の成分は完全には回収することは難しい。従って、ランニング処理している間に、処理装置の搬送ローラや絞りローラ及びスクラブローラに析出物が付着し、平版印刷版の版面を傷つけるという問題が発生した。
【００１１】
【発明が解決しようとする課題】
本発明の目的は、上記問題を解決し、水洗処理時の乳剤層（ゼラチン）のウォッシュ・オフ性を向上させ、インキ受理性及び保水性に優れたアルミニウム平版印刷版の製版方法を提供することにある。特にランニング処理におけるウォッシュ・オフ性の低下を抑制する。本発明の他の目的は、処理装置のローラに析出物が付着するのを防止した製版方法を提供することにある。
【００１２】
【課題を解決するための手段】
本発明の上記目的は、粗面化され陽極酸化されたアルミニウム支持体上に物理現像核を担持し、更にその上にハロゲン化銀乳剤層を設けた平版印刷材料に、露光後少なくとも現像処理及びハロゲン化銀乳剤層を除去するための水洗処理を施す平版印刷版の製版方法において、前記水洗処理に用いられる新鮮な水洗液に金属イオンキレート剤を含有させることによって達成された。茲で、新鮮な水洗液とは、新たに調液された使用されていない水洗液を意味する。
【００１３】
本発明者は、水洗処理に金属イオンキレート剤を用いることによって、ゼラチンのウォッシュ・オフ性に効果のあることを見いだした。アルミニウム平版印刷版の処理において、水洗液中に存在するアルミニウム、カルシウム、マグネシウム、鉄等の金属イオンがゼラチンのウォッシュ・オフ性を阻害していることを見いだし本発明に至った。特に、ランニング処理におけるウォッシュ・オフ性の低下を防止できる。また、後述するようにローラへの析出物付着防止にも効果のあることがわかった。
【００１４】
【発明の実施の形態】
以下、本発明を詳細に説明する。本発明に用いられる金属キレート剤としては、公知のものを用いることができる。好ましくは、アミノポリカルボン酸、ポリリン酸、モノホスホノ（モノ，ジ，トリ）カルボン酸、２個以上のホスホン酸基を有する化合物等である。
【００１５】
本発明に好ましく用いられるキレート剤を以下に挙げる。
アミノポリカルボン酸及びその塩としては、エチレンジアミン四酢酸（ＥＤＴＡ）、エチレンジアミン−Ｎ−（β−オキシエチル）−Ｎ，Ｎ’，Ｎ’−三酢酸、プロピレンジアミン四酢酸、ニトリロ三酢酸トリナトリウム塩、シクロヘキサンジアミン四酢酸、イミノ二酢酸、ジヒドロキシエチルグリシン、エチルエーテルジアミン四酢酸、エチレンジアミンテトラプロピオン酸、ヒドロキシエチルエチレンジアミン三酢酸、ジヒドロキシエチルエチレンジアミン二酢酸、トリエチレンテトラミン六酢酸、ジエチレントリアミン五酢酸、グリコールエーテルジアミン四酢酸、ジアミノプロパン四酢酸等が挙げられる。
【００１６】
ポリリン酸及びその塩としては、特開昭５７−５３７４９号公報に記載の化合物が挙げられる。例えば、下記の化合物である。
【００１７】
【化１】
0003736943.tif 000002
【００１８】
【化２】
0003736943.tif 000003
【００１９】
【化３】
0003736943.tif 000004
【００２０】
【化４】
0003736943.tif 000005
【００２１】
【化５】
0003736943.tif 000006
【００２２】
【化６】
0003736943.tif 000007
【００２３】
モノホスホノ（モノ，ジ，トリ）カルボン酸及びその塩としては、１−ヒドロキシ−１−ホスホノ−エタン−１−カルボン酸、１−ヒドロキシ−１−ホスホノ−エタン−１，２−ジカルボン酸、１−ヒドロキシ−１−ホスホノ−プロパン−１−カルボン酸、１−ヒドロキシ−１−ホスホノ−プロパン−１，２，３−トリカルボン酸、１−ホスホノ−エタン−２−カルボン酸、１−ヒドロキシ−１−ホスホノ−エタン−２−カルボン酸、２−ホスホノ−ペンタン−２，５−ジカルボン酸、２−メチル−４−ホスホノ−ブタン−１，４−カルボン酸、２−ホスホノ−ブタン−１，４−ジカルボン酸カリウム塩、２，３−ジメチル−２−ホスホノ−ブタン−１，４−ジカルボン酸，１−ホスホノ−プロパン−１，２，３−トリカルボン酸、２−ホスホノ−ブタン−２，３，４−トリカルボン酸等が挙げられる。
【００２４】
２個以上のホスホン酸基を有する化合物としては、下記の化合物が挙げられる。
【００２５】
【化７】
0003736943.tif 000008
【００２６】
【化８】
0003736943.tif 000009
【００２７】
【化９】
0003736943.tif 000010
【００２８】
【化１０】
0003736943.tif 000011
【００２９】
【化１１】
0003736943.tif 000012
【００３０】
【化１２】
0003736943.tif 000013
【００３１】
【化１３】
0003736943.tif 000014
【００３２】
【化１４】
0003736943.tif 000015
【００３３】
【化１５】
0003736943.tif 000016
【００３４】
【化１６】
0003736943.tif 000017
【００３５】
【化１７】
0003736943.tif 000018
【００３６】
【化１８】
0003736943.tif 000019
【００３７】
【化１９】
0003736943.tif 000020
【００３８】
【化２０】
0003736943.tif 000021
【００３９】
【化２１】
0003736943.tif 000022
【００４０】
【化２２】
0003736943.tif 000023
【００４１】
【化２３】
0003736943.tif 000024
【００４２】
【化２４】
0003736943.tif 000025
【００４３】
【化２５】
0003736943.tif 000026
【００４４】
【化２６】
0003736943.tif 000027
【００４５】
本発明において、上記キレート剤は水洗液１リットル当り、１〜１００ｇ、好ましくは５〜５０ｇ程度含有させる。
【００４６】
また、上記キレート剤は処理装置のローラに固着する析出物（主に、マグネシウム、カルシウム、アルミニウム等の成分からなる）の発生を防止するという効果も有することがわかった。特に、スクラブローラのカバー（コットン等）上にこれらの析出物が堆積すると、ウォッシュ・オフ性を阻害することがわかった。従って、析出物発生を防止することは、この製版方法において、極めて意味がある。この析出防止には、特に、２個以上のホスホン酸基を有する化合物が優れた効果を発揮することを見いだした。
【００４７】
本発明に用いられる水洗液のｐＨは４〜９程度であるが、ｐＨ８以下が好ましく、特にｐＨ７以下が好ましい。水洗液には前記キレート剤の他に、ｐＨを４〜７、好ましくは５〜７の範囲に緩衝させる緩衝剤、例えば燐酸塩緩衝剤、クエン酸塩緩衝剤またはそれらの混合物を含有することができる。また、防腐剤を含有させてもよい。更に水洗液にタンパク質分解酵素を含有させることが好ましい。これによって、乳剤層の水洗除去（ウォッシュ・オフ）がより効果的に行われる。
【００４８】
本発明に用いられるタンパク質分解酵素は、ゼラチンなどのタンパク質を加水分解できる植物性または動物性酵素で、公知のものが用いられる。例えば、ペプシン、レンニン、トリプシン、キモトリプシン、カテプシン、パパイン、フィシン、トロンビン、レニン、コラゲナーゼ、ブロメライン、細菌プロティナーゼ（例えば、長瀬産業（株）製のビオプラーゼ）等が挙げられる。この中でも特に、トリプシン、パパイン、フィシン、細菌プロティナーゼが好ましい。水洗液中への酵素の含有量は、０．５〜５０ｇ／リットル程度が適当である。
【００４９】
水洗液には、更にメルカプト基またはチオン基を有する化合物を含有させるのが好ましい。メルカプト基またはチオン基を有する化合物としては、特公昭４８−２９７２３号、特開昭５８−１２７９２８号に記載されているものが好ましく用いられる。特にメルカプト基またはチオン基を有する５ないし６員環の含窒素複素環化合物が好ましい。
【００５０】
５ないし６員環の具体的な例としては、イミダゾール、イミダゾリン、チアゾール、チアゾリン、オキサゾール、オキサゾリン、ピラゾリン、トリアゾール、チアジアゾール、オキサジアゾール、テトラゾール、ピリジン、ピリミジン、ピリダジン、ピラジン、トリアジン等であり、又これらの環は２個以上の縮合生成した環であってもよく、ベンゼン環やナフタリン環と縮合したものであってもよい。
【００５１】
係る化合物の具体例としては、２−メルカプト−４−フェニルイミダゾール、２−メルカプト−１−ベンジルイミダゾール、２−メルカプト−１−ブチル−ベンズイミダゾール、１，３−ジベンジル−イミダゾリジン−２−チオン、２−メルカプト−４−フェニルチアゾール、３−ブチル−ベンゾチアゾリン−２−チオン、３−ドデシル−ベンゾチアゾリン−２−チオン、２−メルカプト−４，５−ジフェニルオキサゾール、３−ペンチル−ベンゾオキサゾリン−２−チオン、１−フェニル−３−メチルピラゾリン−５−チオン、３−メルカプト−４−アリル−５−ペンタデシル−１，２，４−トリアゾール、３−メルカプト−５−ノニル−１，２，４−トリアゾール、３−メルカプト−４−アセタミド−５−ヘプチル−１，２，４−トリアゾール、３−メルカプト−４−アミノ−５−ヘプタデシル−１，２，４−トリアゾール、２−メルカプト−５−フェニル−１，３，４−チアジアゾール、２−メルカプト−５−ｎ−ヘプチル−オキサチアゾール、２−メルカプト−５−ｎヘプチル−オキサジアゾール、２−メルカプト−５−フェニル−１，３，４−オキサジアゾール、２−ヘプタデシル−５−フェニル−１，３，４−オキサジアゾール、５−メルカプト−１−フェニル−テトラゾール、３−メルカプト−４−メチル−６−フェニル−ピリダジン、２−メルカプト−５，６−ジフェニル−ピラジン、２−メルカプト−４，６−ジフェニル−１，３，５−トリアジン、２−アミノ−４−メルカプト−６−ベンジル−１，３，５−トリアジン等が挙げられるが、これらに限定されるものではない。
【００５２】
水洗液中へのメルカプト基またはチオン基を有する化合物の含有量は、０．０１〜１０ｇ／リットル程度が適当である。
【００５３】
メルカプト基またはチオン基を有する化合物を水洗液に含有することによって、インキ受理性及び耐刷性の向上が期待される。
【００５４】
水洗液はアルミニウム支持体上のハロゲン化銀乳剤層を完全に除去するために用いるもので、通常、２５〜３５℃の水洗液をジェット方式で吹き付ける方法、または水洗液を吹き付けながらスクラブローラで乳剤層を剥離する方法が採用されている。
【００５５】
本発明に用いられる現像液には、現像主薬、例えばポリヒドロキシベンゼン類、3-ピラゾリジノン類、アルカリ性物質、例えば水酸化カリウム、水酸化ナトリウム、水酸化リチウム、第３燐酸ナトリウム、あるいはアミン化合物、保恒剤、例えば亜硫酸ナトリウム、粘稠剤、例えばカルボキシメチルセスロース、カブリ防止剤、例えば臭化カリウム、現像変成剤、例えばポリオキシアルキレン化合物、ハロゲン化銀溶剤、例えばチオ硫酸塩、チオシアン酸塩、環状イミド、チオサリチル酸、メソイオン性化合物等等の添加剤等を含ませることができる。現像液のｐＨは通常１０〜１４、好ましくは１２〜１４である。更に銀画像を親油性にする親油化剤を含有させることができる。親油化剤としては、前述のメルカプト基またはチオン基を有する化合物が好ましい。
【００５６】
現像処理及びそれに続いて行われる水洗処理によって露出した銀画像部及び非画像部は、各々の親油性及び親水性を高めるため、及び版面の保護のために、仕上げ液による処理が施される。仕上げ液には前記メルカプト基またはチオン基を有する化合物、及び非画像部の陽極酸化層の保護及び親水性向上のために、アラビヤゴム、デキストリン、アルギン酸ナトリウム、アルギン酸のプロピレングリコールエステル、ヒドロキシエチル澱粉、カルボキシメチルセルロース、ヒドロキシエチルセルロース、ポリビニルピロリドン、ポリスチレンスルホン酸、ポリビニルアルコール等の保護コロイドを含有することが好ましい。
【００５７】
本発明が対象とする平版印刷版は、アルミニウム支持体上に物理現像核及びハロゲン化銀乳剤層を有する。ハロゲン化銀乳剤は、一般に用いられる塩化銀、臭化銀、ヨウ化銀、塩臭化銀、塩ヨウ臭化銀、ヨウ臭化銀等から選択されるが、塩化銀主体（塩化銀５０モル％以上のものを意味する）が好ましい。また乳剤のタイプとしてはネガ型、ポジ型のいずれでもよい。これらのハロゲン化銀乳剤は必要に応じて化学増感あるいはスペクトル増感することができる。
【００５８】
ハロゲン化銀乳剤層に用いられるゼラチンは、各種ゼラチンが用いられるが、アルカリ処理ゼラチンが好ましい。また、更にポリビニルピロリドン、各種でんぷん、アルブミン、ポリビニルアルコール、アラビアガム、ヒドロキシエチルセルロース、等の親水性高分子化合物を含有させることができる。用いられる親水性コロイドとしては、現像後の剥離性を容易にするために実質的に硬膜剤を含まない親水性コロイド層を用いることが望ましい。ハロゲン化銀乳剤層のゼラチン含有量は１〜５ｇ／ｍ2、好ましくは２〜４ｇ／ｍ2程度である。
【００５９】
本発明に用いられるアルミニウム支持体は粗面化され陽極酸化されたアルミニウム板であり、好ましくは米国特許第５，４２７，８８９号公報に記載されているものが用いられる。
【００６０】
本発明で用いられる物理現像核層の物理現像核としては、公知の銀錯塩拡散転写法に用いられるものでよく、例えば金、銀等のコロイド、パラジウム、亜鉛等の水溶性塩と硫化物を混合した金属硫化物などが使用できる。保護コロイドとして各種親水性コロイドを用いることもできる。これらの詳細及び製法については、例えば、フォーカル・プレス、ロンドン  ニューヨーク（１９７２年）発行、アンドレ  ロット及びエディス  ワイデ著、「フォトグラフィック・シルバー・ハライド・ディヒュージョン・プロセシズ」を参照し得る。
【００６１】
本発明において、物理現像核層とハロゲン化銀乳剤層の間に、特開平３−１１６１５１号公報記載の水膨潤性中間層を設けてもよい。
【００６２】
【実施例】
以下に本発明を実施例により説明する。
【００６３】
実施例１
アルミニウム支持体の電解粗面化処理及び陽極酸化は米国特許第５，４２７，８８９号公報に記載の方法に従って、平均直径約５μｍのプラトー上に直径０．０３〜０．３０μｍのピットを１００μｍ2当たり約５，６００個有し、かつ これらのピットの平均直径が０．０８μｍである厚さ０．３０ｍｍのアルミニウム板を得た。このアルミ板は粗面化処理後に陽極酸化したものであり、平均粗さ（Ｒａ）は０．５〜０．６μｍであった。
【００６４】
物理現像核として、特開昭６３−２０８８４３号公報に記載の核液（Ａ）の調整方法に準じて作成した後、ｐＨを６．８に調整した。この物理現像核液を前記アルミニウム支持体に塗布、乾燥した。
【００６５】
ハロゲン化銀乳剤として、保護コロイドとして、アルカリ処理ゼラチンを用い、コントロールダブルジェット法で平均粒径０．２μｍの、ヘキサクロロイリジウム（IV）酸カリウムを銀１モル当り０．００６ｍｍｏｌドープさせた塩ヨウ臭化銀乳剤（ＡｇＢｒ２０モル％、ＡｇＩ０．４モル％）を作成した。更に、この乳剤に硫黄金増感を施し、化２７の増感色素を銀１ｇ当り３ｍｇ用いて分光増感した。
【００６６】
【化２７】
0003736943.tif 000028
【００６７】
このようにして作成したハロゲン化銀乳剤に界面活性剤を加え、前記物理現像核が塗布されたアルミニウム支持体上に銀量が２ｇ／ｍ2、ゼラチン（アルカリ処理ゼラチン）が３ｇ／ｍ2になるように塗布、乾燥して平版印刷材料を得た。
【００６８】
上記平版印刷材料を６３３ｎｍの赤色ＬＤレーザーを光源とする出力機で画像出力し、次に製版用プロセッサー（デュポン社製ＳＬＴ−８４Ｎ自動現像機）で処理して平版印刷版を作成した。製版用プロセッサーは、現像処理工程（２２℃、１５秒間浸漬）、水洗処理工程（３３℃の水洗液を１２秒間シャワー噴射しながらスクラブローラで乳剤層を剥離する）、仕上げ処理工程（２１℃、５秒間シャワー）及び乾燥工程から構成されている。該製版用プロセッサーの水洗工程は水洗液を３０リットル貯溜するタンクと、タンクからポンプを介して平版印刷材料に供給し乳剤層を剥離除去するユニットと、タンクから系外に配置された濾過フィルターを通して水洗水を循環させるユニットで構成されている。濾過フィルターは円筒型の５μｍのフィルターを用いた。
【００６９】
下記に示す現像液、水洗液及び仕上げ液を用いて菊半サイズで１００版処理した。
【００７０】
＜現像液＞
水酸化ナトリウム                                 ２０ｇ
ハイドロキノン                                   ２０ｇ
１−フェニル−３ピラゾリジノン                     ２ｇ
無水亜硫酸ナトリウム                             ８０ｇ
モノメチルエタノールアミン                         ６ｇ
無水チオ硫酸ナトリウム                             ６ｇ
エチレンジアミン四酢酸ナトリウム塩                 ５ｇ
ポリエチレングリコ−ル（平均分子量４００）       １０ｇ
水を加えて全量を１０００ｃｃに調整する。ｐＨは１３．０に調整した。
【００７１】
＜水洗液Ａ＞
第１燐酸カリウム                                      ４０ｇ
水を加えて全量を１０００ｃｃに調整する。ｐＨは６．０に調整した。
【００７２】
＜水洗液Ｂ＞
クエン酸ナトリウム                                    ２０ｇ
水を加えて全量を１０００ｃｃに調整する。ｐＨは６．０に調整した。
【００７３】
＜水洗液Ｃ＞
前記水洗液Ａにキレート剤として、ジエチレントリアミン５酢酸を２０ｇ加えた。
【００７４】
＜水洗液Ｄ＞
前記水洗液Ａにキレート剤として、１−ヒドロキシ−１−ホスホノ−エタン−１−カルボン酸を２０ｇ加えた。
【００７５】
＜水洗液Ｅ＞
前記水洗液Ａにキレート剤として、化１の化合物を２０ｇ加えた。
【００７６】
＜水洗液Ｆ＞
前記水洗液Ａにキレート剤として、化９の化合物を２０ｇ加えた。
【００７７】
＜水洗液Ｇ＞
前記水洗液Ａにキレート剤として、化１３の化合物を２０ｇ加えた。
【００７８】
＜水洗液Ｈ＞
前記水洗液Ｆに更に以下の化合物を加えた。
２−メルカプト−５−ｎヘプチル−オキサジアゾール    ０．５ｇ
モノエタノールアミン                                ６ｇ
タンパク質分解酵素（ビオプラーゼＡＬ−１５）        １ｇ
【００７９】
＜仕上げ液＞
アラビアゴム                                          １０ｇ
２−メルカプト−５−ｎヘプチル−オキサジアゾール        １ｇ
トリエタノールアミン                                  ２６ｇ
第１燐酸ナトリウム                                    １０ｇ
水を加えて全量を１０００ｃｃに調整する。ｐＨ６．０に調整した。
【００８０】
上記記載の方法で作成された平版印刷版の１版目、５０版目及び１００版目について、印刷機ハイデルベルグＭＯ（アルカラー給水装置付：Heidelberg社製オフセット印刷機の商標）、インキ（大日本インキ株製のニューチャンピオン墨Ｈ）及び市販のＰＳ版用給湿液を用いて印刷を行い、印刷開始時のインキ受理性（インキ乗り）を評価した。保水性はインキを低粘度インキ（大日本インキ株製のニューチャンピオン紫Ｓ）に変更して印刷した。その結果を表１に示す。
【００８１】
インキ受理性は印刷開始後、画像の濃度の変化の起きなくなる迄の枚数で評価した。保水性は上記給湿液に最初イソプロピルアルコール（ＩＰＡ）を１５％添加し、徐々にＩＰＡを減少させたときの非画像部の汚れを観察し、４段階で評価した。４は全く汚れ無し、３は僅かに薄い汚れが確認される。２は部分的に汚れがある。１は全面に汚れが発生。
【００８２】
【表１】
0003736943.tif 000029
【００８３】
上記結果から明らかなように、本発明は比較に比べてインキ受理性及び保水性に優れていることが分かる。水洗液に更にタンパク質分解酵素とメルカプト化合物を含有させることによって、インキ受理性が更に向上する。特に、本発明はランニング処理によるインキ受理性及び保水性の低下が抑制できる。
【００８４】
上記の製版処理において、製版用プロセッサーの水洗工程におけるローラへの析出物の付着状況を観察した。その結果を表２に示す。
（評価基準）
◎：全く付着なし。
○：わずかに付着あり。
△：付着物が目立つが、版面には傷は生じない。
×：かなり付着あり、版面に傷が生じる。
【００８５】
【表２】
0003736943.tif 000030
【００８６】
上記結果から、本発明は搬送ローラへの析出物の付着を防止する効果があることがわかる。特に、キレート剤として２個以上のホスホン酸基を有する化合物は、その効果が極めて高い。
【００８７】
【発明の効果】
銀錯塩拡散転写法を利用したアルミニウム平版印刷版の製版処理において、水洗液に金属イオンキレート剤を含有させることによって、水洗処理時の乳剤層のウォッシュ・オフ性を向上させ、インキ受理性及び保水性を向上させる。特にランニング処理におけるウォッシュ・オフ性の低下を抑制することができる。また、処理装置のローラへの析出物の付着を抑制することができ、安定したランニング処理を可能にした。